(57)【要約】  固定用キャップ（４３）は、壁パネル（４１）と床溝または天井溝（４２）の間のスペース内にスナップ・フィットし、それによって、壁を所定の位置に固定する。固定用キャップは、ゴミ、塵、またはくずが壁パネルと床溝または天井溝によって形成されたスペース内に堆積するのを防止する。特に、倉庫およびガレージ用の壁システムも記載されている。【選択図】図８
2008540882.tif 000002
【特許請求の範囲】
【請求項１】
壁と床枠または天井枠の間に位置決めされ、前記壁と床枠または天井枠と係合可能に、前記壁を床枠または天井枠に固定する固定用キャップ。
【請求項２】
前記固定用キャップは、前記壁を床枠または天井枠に係合および固定する１つ以上の固定突起を有することを特徴とする請求項１に記載の固定用キャップ。
【請求項３】
前記固定用キャップは、前記壁を床枠または天井枠に、スナップ・フィットによって係合および固定する１つ以上の弾性変形可能な固定突起を有することを特徴とする請求項１に記載の固定用キャップ。
【請求項４】
前記固定用キャップは、前記壁を床枠または天井枠に、スナップ・フィットによって係合および固定するために、それぞれの面に少なくとも２つの離間した弾性変形可能な固定突起を有することを特徴とする請求項１に記載の固定用キャップ。
【請求項５】
前記固定用キャップは、カバー部と前記カバー部から下に延びる１本以上の足を有し、前記１本以上の足は、前記壁を床枠または天井枠に、スナップ・フィットによって係合および固定するために、１つ以上の弾性変形可能な固定突起を有し、前記１つ以上の突起は前記１本以上の足から横向きに外側に向けて延びることを特徴とする請求項１に記載の固定用キャップ。
【請求項６】
前記固定用キャップは、カバー部と前記カバー部から下に延びる１本以上の足を有し、前記１本以上の足は、前記壁を床枠または天井枠に、スナップ・フィットによって係合および固定するために、１つ以上の弾性変形可能な固定突起を有し、前記１つ以上の突起は前記１本以上の足から横向きに外側に向けて延びる１つ以上の突起を有し、前記カバー部は、その接触長さに沿って、前記壁と床枠または天井枠と接触するように位置決め可能で、補強固定支持を提供することを特徴とする請求項１に記載の固定用キャップ。
【請求項７】
前記カバー部は、前記壁と床枠または天井枠の間の隙間を実質的に閉じることができ、それによって、塵やくずの堆積を防止することを特徴とする請求項５および６のいずれかに記載の固定用キャップ。
【請求項８】
連続する壁を形成するのに用いられる複数の壁パネルと、
それぞれが床または天井に固定可能な床枠または天井枠と、
前記壁と床枠または天井枠の間に位置決め可能で、それぞれが前記壁と床枠または天井枠の間でスナップ・フィットするように構成され、それによって、前記壁を前記床枠または天井枠に固定する複数の固定用キャップを含む壁面組立部品システム。
【請求項９】
前記固定用キャップはカバー部と前記カバー部から下に延びる１本以上の足を有し、前記１本以上の足は、前記壁を床枠または天井枠に、スナップ・フィットによって係合および固定する１つ以上の弾性変形可能な固定突起を有し、前記１つ以上の突起は前記１本以上の足から横向きに外側に向けて延びることを特徴とする請求項８に記載の壁面組立部品システム。
【請求項１０】
前記固定用キャップはカバー部と前記カバー部から下に延びる１本以上の足を有し、前記１本以上の足は、前記壁を前記床枠または天井枠に、スナップ・フィットによって係合及び固定するための１つ以上の弾性変形可能な固定突起を有し、前記１つ以上の突起は前記１本以上の足から横向きに外側に向けて延び、前記カバー部は、その接触長さに沿って、前記壁と前記床枠または天井枠に接触するよう位置決め可能で、補強固定支持を提供することを特徴とする請求項８に記載の壁面組立部品。
【請求項１１】
前記固定用キャップは、カバー部と前記カバー部から下に延びる１本以上の足を有し、前記１本以上の足は、前記壁を前記床枠または天井枠に、スナップ・フィットにより係合および固定する１つ以上の弾性変形可能な固定突起を有し、前記１つ以上の突起は前記１本以上の足から横向きに外側へ向けて延び、前記カバー部は、その接触長さに沿って、前記壁と床枠または天井枠に接触するように位置決め可能で、補強固定支持を提供し、さらに、前記カバー部は前記壁と前記床枠または天井枠の間の隙間を実質的に閉じることができ、それによって、塵やくずの堆積を防止することを特徴とする請求項８に記載の壁面組立部品システム。
【請求項１２】
１つ以上の弾性変形可能な固定突起を配置するために、壁に少なくとも１箇所の開口を設けることを特徴とする請求項９乃至１１のいずれかに記載の壁面組立部品システム。
【請求項１３】
１つ以上の弾性変形可能な固定突起を配置するために、壁に少なくとも１つの開口を設け、前記少なくとも１つの開口は不均一な床に適合するよう大きめであることを特徴とする請求項９乃至１１に記載の壁面組立部品システム。
【請求項１４】
前記固定用キャップは、前記壁が波型の場合、波型と波型の間に形成されるスペース内に嵌合するように形状付けられることを特徴とすする請求項８乃至１３のいずれかに記載の壁面組立部品。
【請求項１５】
複数の固定用キャップは、複数のＵ字型の壁パネルによって形成されたＵ字型の壁内に互いに隣接して位置決め可能であることを特徴とする請求項８乃至１３のいずれかに記載の壁面組立部品システム。
【請求項１６】
単体の固定用キャップは、形成された波型またはＳ字型のパネルで形成された各々の画定されたスペース内部に位置決め可能であるため、複数の固定用キャップは、前記Ｓ字型、波型、または形成されたパネル壁の交互の側面に連続して位置決めされることを特徴とする請求項８乃至１３のいずれかに記載の壁面組立部品システム。
【請求項１７】
前記床枠または天井枠は、内部に壁を取り付ける溝を形成し、固定用キャップの突起と係合させるために、対向する側面に長さ方向に沿って配された内側リブを有することを特徴とする請求項９乃至１６のいずれかに記載の壁面組立部品システム。
【請求項１８】
前記突起は、前記溝の内側リブの下に接触し、それにより、前記壁を床枠または天井枠に固定することを特徴とする請求項１７に記載の壁面組立部品システム。
【請求項１９】
１枚以上の壁パネルで形成された連続する壁と、
それぞれが床または天井に固定され、内部に連続した壁パネルが位置決め可能な床枠または天井枠と、
前記壁と床枠または天井枠の間に位置決めされ、それぞれが前記壁と前記床枠または天井枠の間でスナップ・フィットするように構成され、それによって、前記壁を前記床枠または天井枠に固定する複数の固定用キャップとを含む壁面組立部品。
【請求項２０】
前記固定用キャップは、カバー部と前記カバー部から下に延びる１本以上の足を有し、前記１本以上の足は、前記壁を前記床枠または天井枠に、スナップ・フィットによって係合および固定するための１つ以上の弾性変形可能な固定突起を有し、前記１つ以上の突起は前記１本以上の足から横向きに外側へ向けて延び、前記カバー部は、その接触長さに沿って、前記壁と前記床枠または天井枠に接するよう位置決め可能で、補強固定支持を提供することを特徴とする請求項１９に記載の壁面組立部品。
【請求項２１】
前記連続した壁を前記床枠または天井枠内に取り付けることと、
前記壁と前記床枠または天井枠の間に形成されたスペース内に固定用キャップを固定して、前記壁を前記床枠または天井枠に係合および固定することを含む請求項１９または２０のいずれかに記載の壁面組立方法。
【請求項２２】
請求項１９または２０のいずれかに記載の複数の壁組立部品と屋根ふき手段とを含むビルまたは倉庫。
【請求項２３】
回廊壁または廊下壁、および仕切および部屋壁を形成するために形成された波型またはＳ字型のパネルを形成するためにＵ字型のパネルを用いることを特徴とする請求項２２に記載のビルまたは倉庫。
【発明の詳細な説明】
【技術分野】
【０００１】
本発明は、壁および構造物の組立に関する。本発明は、特に、ビルおよび倉庫を区画するための壁および仕切の組立部品へ特に適用されるが、それ専用ではない。例示として、本明細書中では貯蔵システムや貯蔵倉庫およびビルを参照しているが、本発明は、この用途に限定されない。
【背景技術】
【０００２】
貯蔵倉庫およびビルは、一般的に、リベットやネジで互いに固定された複数の波型の金属パネルを含む。パネルは、ネジまたはリベットを用いて、床溝に連続して固定され、集合壁を形成する。これらの壁は、仕切の役目を果たし、かつ貯蔵を目的として区画を確保する。パネルを固定するのにリベットおよびネジを用いる必用があるのは、労働集約と労働費のためである。
【０００３】
その結果、特許文献１に開示された建築システムが、隣り合うパネル同士が互いに固定しあうことにより、留め具を使う必要をなくすべく、端部固定用の折返し型フランジを有するパネルを使用して開発された。
【０００４】
それにもかかわらず、未だに壁面組立部品でパネルを床溝に固定する必要がある。ネジおよびリベットを用いて固定して壁を直立させるには時間がかかるし、対向する壁と壁の間の隙間で邪魔になる目に見えないところで突起した複数の留め具を壁面に設けることになる。
【０００５】
本発明の目的は、上記課題の少なくとも一部またはそれ以上を解決するような他の壁面組立部品を提供することである。
【特許文献１】オーストラリア特許第７０５７３４号
【発明の開示】
【０００６】
本発明の一態様は、広義には、壁と床枠または天井枠の間に位置決めされ、この壁と床枠または天井枠と係合して、係合された固定用キャップがこの壁を床枠または天井枠に固定する固定用キャップを含む。
【０００７】
固定用キャップは、壁と床枠または天井枠の間に位置決めされ、この壁と床枠または天井枠に係合して、壁を床枠または天井枠に固定するのが好ましい。
【０００８】
固定用キャップは、スナップ・フィットを含む適当な手段で、壁を床枠または天井枠に係合し、固定することができる。固定用キャップは、固定用突起によって、壁を床枠または天井枠に係合し、固定するのが好ましい。
【０００９】
本発明の他の態様は、広義には、壁と床枠または天井枠との間に位置決め可能で、この壁と床枠または天井枠に係合可能な固定用キャップであって、係合することにより、固定用キャップを壁と床枠または天井枠に固定し、それによって、この壁を床枠または天井枠に固定する固定用キャップを含む。
【００１０】
固定用キャップは、壁と床枠または天井枠に係合する一つ以上の突起を有することが好ましい。固定用キャップは、各側面に２つの離間した突起を有するのが好ましい。
【００１１】
固定用キャップは、カバー部と、このカバー部から下に延びる１本以上の足を有するのが好ましい。この１本以上の足は、壁を床枠または天井枠に、スナップ・フィットによって係合および固定するための１つ以上の弾性変形可能な固定突起を有するのが好ましい。各々の突起は、この１本以上の足から横向きに外側に向けて延びるのが好ましい。各々の突起は、足に位置決めされて床枠または天井枠に係合できるようにするのが好ましい。カバー部は、その接触長さに沿って、壁と床枠または天井枠に接し、補強固定支持を提供するのが好ましい。
【００１２】
固定用キャップは、弾性変形可能で、壁と床枠または天井枠の間が小さなスペースでも異形状でも、その間に嵌合できるのが好ましい。
【００１３】
カバー部は、壁と床枠または天井枠との間のスペースまたは隙間を実質的に閉じることが可能で、それによって塵やくずの堆積を防ぐことができるのが好ましい。
【００１４】
本発明の他の態様は、広義において、
連続した壁を形成するのに用いられる複数の壁パネルと、
それぞれが床または天井に固定可能な床枠または天井枠と、
壁と床枠または天井枠の間に位置決め可能で、それぞれが壁と床枠または天井枠の間にスナップ・フィットするように構成され、それによって、この壁を床枠または天井枠に固定する複数の固定用キャップとを含む壁面組立部品システムを含む。
【００１５】
固定用キャップは、上記の形状とは異なる１つ以上の形状を含むのが好ましい。
【００１６】
壁は、１つ以上の弾性変形可能な固定突起を配置するための少なくとも１つの開口を有するのが好ましい。この壁の開口は、均一でない床に適合するように大きめであるのが好ましい。壁の開口は長く、突起の幅よりも広いのが好ましい。
【００１７】
壁パネルが波型の場合、固定用キャップのカバー部は、波型の間に形成されるスペース内に固定するのに適した形状であることが好ましい。複数の固定用キャップは、廊下に用いられるのが好ましいＵ字型の壁パネルを用いて、Ｕ字型のパネル壁内で互いに隣接して固定されるのが好ましい。仕切および部屋壁を形成するのに用いられるのが好ましい波型またはＳ字型の壁パネルを形成して、１つの固定用キャップは、各々の画定されたスペース内に嵌合されるのが好ましいので、波型またはＳ字型に形成されたパネル壁の対向する側面に交互に連続して位置決められる。
【００１８】
床枠または天井枠は、固定用キャップの突起と係合させるために、対向する側面の内側リブに長さ方向に配されるのが好ましい。床枠または天井枠は、その内部に壁を取り付ける溝を形成するのが好ましい。係合することにより、突起は溝の内側リブの下に接し、それによって壁を床枠または天井枠に固定するのが好ましい。突起は、溝の内側リブの下に接し、突起の少なくとも一つが壁の開口を通り抜けるのがより好ましい。
【００１９】
他の形態において、壁面組立部品システムは、
連続した壁を形成するのに用いる複数の壁パネルと、
それぞれが床または天井に固定可能な床枠または天井枠と、
この壁と床枠または天井枠の間に位置決め可能で、それぞれがこの壁と床枠または天井枠の間にスナップ・フィットするよう構成され、それにより、この壁を床枠または天井枠と固定する複数の固定用キャップとを含み、この固定用キャップは、カバー部と、このカバー部から下に延び、スナップ・フィットによって、壁を床枠または天井枠に係合および固定するための１つ以上の弾性変形可能な固定突起を有し、この１つ以上の突起は、１本以上の足から横向きに外側に向けて延びることを特徴とする。
【００２０】
他の形態において、壁面組立部品システムは、
連続した壁を形成するのに用いる複数の壁パネルと、
それぞれが床または天井に固定可能な床枠または天井枠と、
この壁と床枠または天井枠の間に位置決め可能で、それぞれが壁および床枠または天井枠の間にスナップ・フィットすべく構成され、それによって、この壁を床枠または天井枠に固定する複数の固定用キャップとを含み、この固定用キャップは、カバー部と、このカバー部から下へ延び、この壁を床枠または天井枠に、スナップ・フィットによって係合および固定するための１つ以上の弾性変形可能な固定突起を有し、この１つ以上の突起は、この１本以上の足から横向きに外側に向けて延び、このカバー部は、その接触長さに沿って、壁と床枠または天井枠に接するように位置決めされて補強固定支持を提供することを特徴とする。
【００２１】
他の態様において、壁面組立部品システムは、
連続した壁を形成するのに用いる複数の壁パネルと、
それぞれが床または天井に固定可能な床枠または天井枠と、
この壁と床枠または天井枠の間に位置決め可能で、それぞれがこの壁と床枠または天井枠の間にスナップ・フィットするように構成され、それによって、この壁を床枠または天井枠に固定する複数の固定用キャップとを含み、この固定用キャップは、カバー部と、このカバー部から下へ延びる１本以上の足を有し、この１本以上の足は、この壁を床枠または天井枠に、スナップ・フィットによって係合および固定する１つ以上の弾性変形可能な固定突起を有し、この１つ以上の突起は１本以上の足から横向きに外側に向けて延び、カバー部は、その接触長さに沿って、壁と床枠または天井枠と接するように位置決めされて補強固定支持を提供し、さらに、カバー部は、この壁と床枠または天井枠の間の隙間を実質的に閉じることができ、それによって、塵やくずの堆積を防止することを特徴とする。
【００２２】
他の態様において、本発明は、広義には、
１枚以上の壁パネルで形成される連続した壁と、
それぞれが床または天井に固定され、その内部に連続した壁パネルを位置決め可能な床枠または天井枠と、
この壁と床枠または天井枠の間に位置決めされ、それぞれがこの壁と床枠または天井枠の間にスナップ・フィットするように構成され、それによってこの壁を床枠または天井枠に固定する複数の固定用キャップとを含む壁面組立部品を含む。
【００２３】
連続した壁パネル・セクション、床枠または天井枠および固定用キャプは、上述とは異なる１つ以上の形状を含むのが好ましい。
【００２４】
他の形態において、本発明は、広義には、
上記の連続した壁を上記の床枠または天井枠内に取り付けることと、
固定用キャップをこの壁と床枠または天井枠の間に形成されたスペースに嵌合して、この壁を床枠または天井枠に係合および固定することを含む壁面組立方法を含む。
【００２５】
他の態様において、本発明は、広義には、上記の複数の壁と屋根ふき手段とを含むビルまたは倉庫等の構造を含む。好ましい実施形態において、この構造は、回廊または廊下の壁を形成するＵ字型のパネルと、仕切と部屋壁を形成するために形成された波型またはＳ字型のパネルとを有するビルである。
【００２６】
壁面組立部品における固定用キャップの使用により、壁を床枠または天井枠に固定するための固定具の使用を避ける、または制限することもできる。
【００２７】
（図面の簡単な説明）
本発明の理解を容易にし、実用化するために、以下、添付の図面を参照する。
図１は、固定用キャップの好ましい実施形態の異なる略図である。
図２は、固定用キャップの好ましい実施形態の異なる略図である。
図３は、固定用キャップの好ましい実施形態の異なる略図である。
図４は、固定用キャップの好ましい実施形態の異なる略図である。
図５は、波型またはＳ字型の壁パネルの略図であり、（ａ）はパネルの基部の正面図であり、（ｂ）は、パネルの上部の正面図であり、（ｃ）はパネルの平面図である。
図６は、波型またはＳ字型の壁パネルの他の略図であり、（ａ）は、その正面図であり、（ｂ）は、その斜視図である。
図７は、波型またはＳ字型の壁パネル内に位置決めされた固定用キャップの異なる側面図である。
図８は、波型またはＳ字型の壁パネル内に位置決めされた固定用キャップの異なる側面図である。
図９は、波型またはＳ字型の壁パネル内に位置決めされた固定用キャップの異なる側面図である。
図１０は、波型またはＳ字型の壁パネル内に位置決めされた固定用キャップの異なる側面図である。
図１１は、波型またはＳ字型の壁パネル内に位置決めされた固定用キャップの異なる側面図である。
図１２は、波型またはＳ字型の壁パネル内に位置決めされた固定用キャップの断面図である。
図１３は、波型またはＳ字型の壁パネル内に位置決めされた固定用キャップの断面図である。
図１４は、図１０のＡに図示された壁パネル内に位置決めされた固定用キャップの切欠き図である。
図１５は、図７のＢに図示された壁パネル内に位置決めされた固定用キャップの切欠図である。
【発明を実施するための最良の形態】
【００２８】
図１乃至５を参照すると、壁パネル内に固定されて波型に適合するために凹部１２を備えるカバー１１を有する固定用キャップ１０が図示されている。固定用キャップ１０は、カバー１１の一方の側から横向きに延びる２本の細長い足１３を有する。細長い足１３は、固定用キャップ１０が壁パネル内に位置決めされたときに、各足の自由端部が床枠または天井枠に接するように、カバー１１の一方の側１５から横向きに延びる。他の実施形態において、細長い足は短く、固定用キャップが壁パネル内に位置決めされたときに、足から外側に延在する突起が床枠または天井枠の内側リブと係合可能な長さまで延びる。
【００２９】
細長い足１３は、各足１３から外側に延びる突起１４を有する。突起１４は、カバー１１と足１３の中央部分との間で各足１３に沿って外側に分かれて延びる。突起１４は、壁パネルの開口を通り抜け、床枠または天井枠内の内側リブに固定される。
【００３０】
固定用キャップ１０は、また、実質的に足１３の反対側１６と隣接するカバー１１から横向きに延びる２つのフランジ１７を有する。フランジ１７は、実質的に隣接する他方の端部１８，１９から離間して横向きに延びる。フランジ１７は、各フランジ１７から外側に延びる細長い突起２１を有する。リップ２４は、カバー１１の側面１６およびフランジ１７によって形成される。リップ２４および細長い突起２１は、壁パネル内の所定の位置に固定用キャップ１０を固定する役割を果たす。
【００３１】
固定用キャップ１０もまた、実質的にカバー１１の隣接する側面１６から横向きに延びるフランジ２６を有する。フランジ２６は、実質的に中央に位置される。フランジ２６は、細長い突起２７を有する。フランジ２６は、フランジ１７と同様の機能を備えるが、壁パネル内に固定されると、固定用キャップ１０を所定の位置に提供する役割を果たす。
【００３２】
図５を参照すると、Ｓ字型（波型）の壁パネル３０の異なる図が示されている。図５（ｃ）は、壁パネルの平面図を示す。Ｓ字型または波型の壁パネル３０は、壁パネル３０の交互の側面に窪んだスペース３１を形成する。壁パネル３０の波型３２は、壁パネル３０に補強力を提供する。壁パネル３０の上部および基部の開口３３は、突起が貫通して、壁パネルを床枠または天井枠に固定するように固定用キャップから延びるのを許容する。図６は、波型のパネルの他の図を示す。
【００３３】
図７乃至１１を参照すると、Ｓ字型または波型の壁パネル４１と、実質的にＵ字型の溝床枠４２と、壁パネル４１の交互の側面にある壁パネルの凹部４４内の所定の位置に固定される固定用キャップ４３とを含む壁面組立部品４０を示す。
【００３４】
図１２乃至１５をさらに参照すると、壁パネル３０は、取り付け位置では、その下縁近傍にホタテ貝のようにカーブした部分４６を有し、パネル３０が溝の長さ方向に沿って自由に移動でき、かつ、固定具で床に固定できる。
【００３５】
固定用キャップ５５は、壁パネル５０内の多数の位置に配置され得る。固定用キャップ５５は、壁パネル５０内に配置され得るので、端部フランジ５６は、Ｕ字型の溝床枠４２の一側面５１上に延び、中央フランジ５７はその側面５１の内側表面に位置決めされることにより、固定用キャップ５５を所定の位置に保持する。または、端部フランジ５６と中央フランジ５７の両方が側面５１の外側面または内側面に配置され得る。
【００３６】
端部フランジ５６および中央フランジ５７の両方は、折返し型フランジ４８を係合でき、これに接触する突起５８を有する。
【００３７】
細長い足６０は、カバー部６１から延びて、壁パネル５０の開口６３を貫通して、折り返し型フランジ４８に嵌合することができる突起６２を有する。開口６３は、均一でない床またはちょっとした形状の変化に適応するように大きめになっている。細長い足６０は、床枠４２の基部４７に接する自由端部６４を有する。細長い足６０が接触することにより、固定用キャップ５５を壁パネルおよび床枠内にぶつけて位置決めするのに役立つ。端部フランジ５６と中央フランジ５７を床枠の一方の側面５１に係合し、突起６２を足６０に係合し、さらに壁パネル５０を貫通して床枠４２の他方の側面５１上の折返し型フランジ４８に係合および該フランジと接触させることにより、壁パネル５０は床枠４２によって所定の位置に固定される。
【００３８】
上記の壁面組立部品４０は、壁パネル５０の連続する交互の側面の窪んだスペース４４に固定用キャップ５５を固定すると、壁と部屋壁を仕切るのに用いられ得る。さらに、壁パネル５０を床枠４２に固定するために、固定ネジ７０が３つの構成要件全てに取り付けられていてもよい。
【００３９】
固定用キャップ５５は、また、複数の固定用キャップ５５をＵ字型壁パネル内で互いに隣接するように位置決めすることにより、Ｕ字型の壁パネル（図示せず）を床枠または天井枠に固定するのに用いられ得る。Ｕ字型壁パネルを床枠または天井枠に固定する方法は、Ｓ字型壁パネルを固定するのと同様の方法である。Ｕ字型壁パネルは、回廊および廊下に用いられるのが好ましい。
【００４０】
壁面組立部品によって、壁および枠を固定するのに必要な固定具の数を最小限にして、ビルおよび倉庫を比較的素早く組み立てることができる。固定用キャップは、また、塵やくずがＵ字型溝内に集まるのを実質的に防止して、壁を美しく仕上げる。
【００４１】
優位性
本発明の好ましい実施形態によれば、固定用キャップは、固定具を用いずに、壁パネルを床溝に固定することができ、塵やくずが床溝に集まるのを防止でき、さらに、固定具を目に見えないように隠すことができる。さらに、好ましい実施形態の固定用キャップは、壁を接触長さに沿って接触させ、かつ固定し、それにより単独の固定ポイントに頼るよりも、確実に固定できるようにする。
【００４２】
変形例
上記の説明は本発明の例示であるが、当該技術分野における技術者に明らかな上記の変更およびその他の変更、およびそれらの変形は全て、当然、本明細書中に記載された本発明の広義の範囲および外延に含まれるものと理解される。
【００４３】
本明細書の記載および請求項を通して、「含む」という用語およびその変化形である「含む」および「含んでいる」等は、他の添加物、成分、完全体、または工程を排除するものではない。
【図面の簡単な説明】
【００４４】
本発明の理解を容易にし、実用化するために、以下、添付の図面を参照する。
【図１】図１は、固定用キャップの好ましい実施形態の異なる略図である。
【図２】図２は、固定用キャップの好ましい実施形態の異なる略図である。
【図３】図３は、固定用キャップの好ましい実施形態の異なる略図である。
【図４】図４は、固定用キャップの好ましい実施形態の異なる略図である。
【図５ａ−ｃ】図５は、波型またはＳ字型の壁パネルの略図であり、（ａ）はパネルの基部の正面図であり、（ｂ）は、パネルの上部の正面図であり、（ｃ）はパネルの平面図である。
【図６ａ−ｂ】図６は、波型またはＳ字型の壁パネルの他の略図であり、（ａ）は、その正面図であり、（ｂ）は、その斜視図である。
【図７】図７は、波型またはＳ字型の壁パネル内に位置決めされた固定用キャップの異なる側面図である。
【図８】図８は、波型またはＳ字型の壁パネル内に位置決めされた固定用キャップの異なる側面図である。
【図９】図９は、波型またはＳ字型の壁パネル内に位置決めされた固定用キャップの異なる側面図である。
【図１０】図１０は、波型またはＳ字型の壁パネル内に位置決めされた固定用キャップの異なる側面図である。
【図１１】図１１は、波型またはＳ字型の壁パネル内に位置決めされた固定用キャップの異なる側面図である。
【図１２】図１２は、波型またはＳ字型の壁パネル内に位置決めされた固定用キャップの断面図である。
【図１３】図１３は、波型またはＳ字型の壁パネル内に位置決めされた固定用キャップの断面図である。
【図１４】図１４は、図１０のＡに図示された壁パネル内に位置決めされた固定用キャップの切欠き図である。
【図１５】図１５は、図７のＢに図示された壁パネル内に位置決めされた固定用キャップの切欠図である。
【符号の説明】
【００４５】
１１      カバー部
１２      くぼみ
１０      固定用キャップ
１３      足
１７，２６       フランジ
１４，２７       突起
３０      Ｓ字型壁パネル
３２      波型
３３      開口
【図１】
2008540882.tif 000003
【図２】
2008540882.tif 000004
【図３】
2008540882.tif 000005
【図４】
2008540882.tif 000006
【図５ａ−ｃ】
2008540882.tif 000007
【図６ａ−ｂ】
2008540882.tif 000008
【図７】
2008540882.tif 000009
【図８】
2008540882.tif 000010
【図９】
2008540882.tif 000011
【図１０】
2008540882.tif 000012
【図１１】
2008540882.tif 000013
【図１２】
2008540882.tif 000014
【図１３】
2008540882.tif 000015
【図１４】
2008540882.tif 000016
【図１５】
2008540882.tif 000017
【国際調査報告】
2008540882.tif 000018
2008540882.tif 000019
2008540882.tif 000020